(57)【要約】【課題】記憶性表示体を駆動する電源部の消費電力を低減することができるコンテンツ提供システムを提供する。【解決手段】コンテンツを管理装置３から記憶性表示体１１を備えた端末１に提供するコンテンツ提供システムであって、管理装置３が、端末１の記憶性表示体１１に応じてコンテンツを変換する画像変換部３１と、変換したコンテンツを前記表示装置によって表示するための負荷を求めるコンテンツ解析部３２と、変換したコンテンツとその負荷を示す情報とを管理装置３から端末１に転送する通信手段３３とを備え、端末１が、変換されたコンテンツとその負荷を示す情報とを取得する通信手段１４と、記憶性表示体１１を駆動するための第２表示体電源２０の電流供給能力を、負荷情報に応じて切り替える表示体コントローラ１８とを備える。【選択図】図１
2011221096.tif 000002
【特許請求の範囲】
【請求項１】
コンテンツを第１の情報処理装置から表示装置を備えた第２の情報処理装置に提供するコンテンツ提供システムであって、
前記第１の情報処理装置が、
前記第２の情報処理装置に備えられた前記表示装置に応じて前記コンテンツを変換する変換部と、
前記変換したコンテンツを前記表示装置によって表示するための負荷を求める解析部と、
前記変換したコンテンツと前記負荷を示す情報とを、前記第１の情報処理装置から前記第２の情報処理装置に転送する転送部と、
を備え、
前記第２の情報処理装置が、
前記変換されたコンテンツと前記負荷を示す情報とを取得する取得部と、
前記表示装置を駆動するための電源回路の電流供給能力を、前記負荷を示す情報に応じて切り替える制御部と、
を備える
ことを特徴とするコンテンツ提供システム。
【請求項２】
前記表示装置が、
複数の走査線と、
前記複数の走査線に対して交差する複数のデータ線と、
前記複数の走査線のうち一の走査線と前記複数のデータ線のうち一のデータ線との交点に対応して設けられた画素と、
前記画素と前記一のデータ線との間に電気的に接続された駆動トランジスタと、
前記複数の走査線が電気的に接続された走査線駆動回路と、
前記電源回路の出力を電源として前記複数のデータ線を駆動するデータ線駆動回路と、
を備え、
前記解析部が、前記複数の走査線のうち第１の走査線と前記複数のデータ線のうち第１のデータ線とに対応する第１の画素の表示状態と、前記複数の走査線のうち前記第１の走査線の次に選択される第２の走査線と前記第１のデータ線とに対応する第２の画素の表示状態とを比較することによって、前記負荷を求める
ことを特徴とする請求項１に記載のコンテンツ提供システム。
【請求項３】
前記解析部が、前記表示装置に表示されるべき画像毎に前記負荷を求める
ことを特徴とする請求項２に記載のコンテンツ提供システム。
【請求項４】
前記解析部が、前記表示装置における前記走査線毎に前記負荷を求める
ことを特徴とする請求項２に記載のコンテンツ提供システム。
【請求項５】
請求項１から４のいずれか１項に記載の第２の情報処理装置が電子機器である
ことを特徴とするコンテンツ提供システム。
【請求項６】
他の情報処理装置との間で通信が可能であり、かつコンテンツを表示可能な表示装置を備えた情報処理装置であって、
コンテンツと、該コンテンツを前記表示装置によって表示するための負荷を示す情報と、を前記他の情報処理装置から取得する取得部と、
前記表示装置を駆動するための電源回路の電流供給能力を前記負荷を示す情報に応じて切り替える制御部と、
を備えることを特徴とする情報処理装置。
【請求項７】
他の情報処理装置との間で通信が可能な情報処理装置であって、
前記他の情報処理装置が備える表示装置に応じてコンテンツを変換する変換部と、
前記変換したコンテンツを前記表示装置によって表示するための負荷を求める解析部と、
前記変換したコンテンツと前記負荷を示す情報とを、前記他の情報処理装置に転送する転送部と、
を備えることを特徴とする情報処理装置。
【請求項８】
コンテンツを第１の情報処理装置から表示装置を備えた第２の情報処理装置に提供するコンテンツ提供方法であって、
前記第１の情報処理装置において、
前記表示装置に応じてコンテンツを変換する変換工程と、
前記変換したコンテンツを前記表示装置によって表示するための負荷を求める解析工程と、
前記変換したコンテンツと前記負荷を示す情報とを、前記第１の情報処理装置から前記第２の情報処理装置に転送する転送工程と、
を備え、
前記第２の情報処理装置において、
前記変換されたコンテンツと前記負荷を示す情報とを取得する取得工程と、
前記表示装置を駆動するための電源回路の電流供給能力を、前記負荷を示す情報に応じて切り替える制御工程と、
を備えることを特徴とするコンテンツ提供方法。
【発明の詳細な説明】
【技術分野】
【０００１】
本発明は、電気的に光学的状態を変化させる媒体を備える表示装置を用いてコンテンツを表示する際に用いて好適なコンテンツ提供システム、情報処理装置及びコンテンツ提供方法に関する。
【背景技術】
【０００２】
電気的に光学的状態を変化させる媒体の一つである記憶性表示体は、表示を保持する特性をもち、また表示品位が紙に近いため、紙の置き換えとして開発が進められている。記憶性表示体を搭載した情報端末（以下、端末）は、単なる紙の置き換えでない新たな価値（電子データとして扱える、セキュリティを持たせることができる）を持った製品として開発が進められている。端末に求められる条件として、小型・低消費電力、さらに扱う情報によってはセキュリティの付与などが挙げられる。
【０００３】
このような技術として、特許文献１には、コンテンツを端末に転送する際、端末の表示に適した解像度・階調に合わせ変換を行うことで端末の処理負荷を低減する方法が示されている。
【０００４】
また、特許文献２には、表示を保持する特性を利用して走査線の駆動を必要な部分だけを行う（以下、部分駆動）ことで、表示体の消費電力を低減するため方法が示されている。
【先行技術文献】
【特許文献】
【０００５】
【特許文献１】特開２００９−７６０７８号公報
【特許文献２】特開２００９−４２７８０号公報
【発明の概要】
【発明が解決しようとする課題】
【０００６】
上述したような背景技術においては、記憶性表示体を駆動する電源の能力が、全画面駆動時の最大負荷を想定して設計されている。そのため、書き換える画像の内容に関わらず、常に最大の電源能力で動作しており、電源部の消費電力が大きいという問題があった。
【０００７】
本発明は、このような事情を考慮してなされたものであり、記憶性表示体を駆動する電源部の消費電力を低減することができるコンテンツ提供システム、情報処理装置及びコンテンツ提供方法を提供することを目的とする。
【課題を解決するための手段】
【０００８】
上記課題を解決するため、請求項１記載の発明は、コンテンツを第１の情報処理装置から表示装置を備えた第２の情報処理装置に提供するコンテンツ提供システムであって、前記第１の情報処理装置が、前記第２の情報処理装置に備えられた前記表示装置に応じて前記コンテンツを変換する変換部と、前記変換したコンテンツを前記表示装置によって表示するための負荷を求める解析部と、前記変換したコンテンツと前記負荷を示す情報とを、前記第１の情報処理装置から前記第２の情報処理装置に転送する転送部と、を備え、前記第２の情報処理装置が、前記変換されたコンテンツと前記負荷を示す情報とを取得する取得部と、前記表示装置を駆動するための電源回路の電流供給能力を、前記負荷を示す情報に応じて切り替える制御部と、を備えることを特徴とするコンテンツ提供システムである。
【０００９】
この発明によれば、表示装置を用いてコンテンツを表示するための負荷を示す情報に応じて、その表示装置を駆動するための電源回路の電流供給能力が切り替えられるので、負荷が小さい場合に電源部の電流供給能力を低下させるよう制御を行うことで、容易に電源部の消費電力を低減することができる。また、負荷の解析が、第１の情報処理装置の解析部で行われるので、表示装置を備えた第２の情報処理装置で負荷の解析に係る大きな処理を行う必要がない。
【００１０】
請求項２記載の発明は、前記表示装置が、複数の走査線と、前記複数の走査線に対して交差する複数のデータ線と、前記複数の走査線のうち一の走査線と前記複数のデータ線のうち一のデータ線との交点に対応して設けられた画素と、前記画素と前記一のデータ線との間に電気的に接続された駆動トランジスタと、前記複数の走査線が電気的に接続された走査線駆動回路と、前記電源回路の出力を電源として前記複数のデータ線を駆動するデータ線駆動回路と、を備え、前記解析部が、前記複数の走査線のうち第１の走査線と前記複数のデータ線のうち第１のデータ線とに対応する第１の画素の表示状態と、前記複数の走査線のうち前記第１の走査線の次に選択される第２の走査線と前記第１のデータ線とに対応する第２の画素の表示状態とを比較することによって、前記負荷を求めることを特徴とする。
【００１１】
この発明によれば、解析部によって、前記第１の画素の表示状態と第１の画素の次に選択される前記第２の画素の表示状態との違いに基づいて、負荷が求められるので、負荷を求める際の処理を比較的容易に行うことができるようになる。
【００１２】
請求項３記載の発明は、前記解析部が、前記表示装置に表示されるべき画像毎に前記負荷を求めることを特徴とする。
【００１３】
この発明によれば、解析部によって、表示装置に表示されるべき画像毎に（例えばページ単位で）負荷が求められるので、負荷を示す情報を表示装置に表示されるべき画像毎に（例えばページ単位で）送るだけでよく、情報量を比較的少なくすることができる。
【００１４】
請求項４記載の発明は、前記解析部が、前記表示装置における前記走査線毎に前記負荷を求めることを特徴とする。
【００１５】
この発明によれば、解析部によって、表示装置における走査線毎に負荷が求められるので、詳細な負荷の解析を行うことができる。その結果、次に選択される走査線に対応する画素で表示されるべき表示状態に応じてデータ線に供給するデータ信号を切り替える前に、次に選択される走査線に対する負荷情報を参照して、電源回路の電流供給能力を切り替えることができるので、より効果的に電源部の消費電力を低減することができる。
【００１６】
請求項５記載の発明は、第２の情報処理装置が電子機器であることを特徴とする。
【００１７】
請求項６記載の発明は、他の情報処理装置との間で通信が可能であり、かつコンテンツを表示可能な表示装置を備えた情報処理装置であって、コンテンツと、該コンテンツを前記表示装置によって表示するための負荷を示す情報と、を前記他の情報処理装置から取得する取得部と、前記表示装置を駆動するための電源回路の電流供給能力を前記負荷を示す情報に応じて切り替える制御部と、を備えることを特徴とする情報処理装置である。
【００１８】
請求項７記載の発明は、他の情報処理装置との間で通信が可能な情報処理装置であって、前記他の情報処理装置が備える表示装置に応じてコンテンツを変換する変換部と、前記変換したコンテンツを前記表示装置によって表示するための負荷を求める解析部と、前記変換したコンテンツと前記負荷を示す情報とを、前記他の情報処理装置に転送する転送部と、を備えることを特徴とする情報処理装置である。
【００１９】
請求項８記載の発明は、コンテンツを第１の情報処理装置から表示装置を備えた第２の情報処理装置に提供するコンテンツ提供方法であって、前記第１の情報処理装置において、前記表示装置に応じてコンテンツを変換する変換工程と、前記変換したコンテンツを前記表示装置によって表示するための負荷を求める解析工程と、前記変換したコンテンツと前記負荷を示す情報とを、前記第１の情報処理装置から前記第２の情報処理装置に転送する転送工程と、を備え、前記第２の情報処理装置において、前記変換されたコンテンツと前記負荷を示す情報とを取得する取得工程と、前記表示装置を駆動するための電源回路の電流供給能力を、前記負荷を示す情報に応じて切り替える制御工程と、を備えることを特徴とするコンテンツ提供方法である。
【図面の簡単な説明】
【００２０】
【図１】本発明によるコンテンツ提供システムの一実施の形態を示すブロック図である。
【図２】図１のコンテンツファイル７の構成の一例を示す図である。
【図３】図１の記憶性表示体１１の電気的構成の一例を示す回路図である。
【図４】図１の第２表示体電源２０の構成例を説明するためのブロック図である。
【図５】図１の表示体コントローラ１８による動作例を説明するための図である。
【図６】図１の記憶性表示体１１の動作例を説明するための模式図である。
【図７】図１の表示体コントローラ１８による動作例を説明するための図である。
【図８】図１の表示体コントローラ１８による動作例を説明するための図である。
【図９】図１の記憶性表示体１１の動作例を説明するための模式図である。
【図１０】図１の表示体コントローラ１８による動作例を説明するための図である。
【図１１】図１の電気光学装置１を用いた電子機器の一例を示す正面図である。
【図１２】図１の電気光学装置１を用いた電子機器の一例を示す斜視図である。
【図１３】図１の電気光学装置１を用いた電子機器の一例を示す斜視図である。
【発明を実施するための形態】
【００２１】
以下、図面を参照して本発明の実施形態について説明する。図１は、本発明によるコンテンツ提供システム１００の一実施の形態の構成を示すブロック図である。図１に示すコンテンツ提供システム１００は、端末１および管理装置３と、端末１および管理装置３間を接続する有線又は無線の通信回線５とから構成されている。コンテンツ提供システム１００は、コンテンツを管理装置３（第１の情報処理装置）から記憶性表示体１１（表示装置）を備えた端末１（第２の情報処理装置）に提供するシステムである。
【００２２】
端末１は、記憶性表示体１１、走査線ドライバ１２、データ線ドライバ１３、通信手段１４、メインＣＰＵ（中央処理装置）１５、ＲＯＭ（リードオンリメモリ）１６、ＶＲＡＭ（ビデオ・ランダムアクセスメモリ）１７、表示体コントローラ１８、第１表示体電源１９及び第２表示体電源２０を備えて構成されている。また、図１の端末１には、図示していないバッテリ、電源回路、各種操作子、フラッシュメモリ等の不揮発性メモリやメモリカードの着脱スロット等の構成を備えている。端末１は、メインＣＰＵ１５の制御のもと、通信手段１４を用いて管理装置３からコンテンツファイル７を取得し、コンテンツファイル７に含まれるコンテンツデータに基づいて、記憶性表示体１１に画像データを表示する。端末１では、また、表示体コントローラ１８によって記憶性表示体１１の駆動に必要な信号・タイミングが生成される。また、後述するコンテンツファイル７のファイルヘッダから電源能力情報（負荷情報と呼ぶ）を参照し、上記タイミングに合わせて電源能力を切り換えながら駆動する。ここで、電源能力とは、データ線ドライバ１３に電源を供給する第２表示体電源２０におけるアンプの能力を示す。
【００２３】
管理装置３は、例えばパーソナルコンピュータ等のコンピュータであって、所定の記憶手段に格納されているプログラムを実行することで本実施形態が特徴とする各機能その他を実現する。なお、管理装置３によって実行されるプログラムは、コンピュータ読み取り可能な記録媒体や通信回線を介して市場等に対して提供することができる。この場合、管理装置３には、端末１に備えられた記憶性表示体１１の解像度、表示階調等の仕様に応じてコンテンツを変換する画像変換機能を有する画像変換部３１、変換したコンテンツを記憶性表示体１１によって表示するための負荷を求めるコンテンツ解析機能を有するコンテンツ解析部３２、変換したコンテンツとその負荷を示す情報とを、管理装置３から端末１に転送するための通信手段３３を備えている。管理装置３は、画像変換部３１において、端末１で表示させたいコンテンツデータを、端末１の表示に適した解像度や、階調に合わせる画像変換を行い、コンテンツファイル７に含ませて転送する。端末１に転送されたコンテンツファイル７は、端末１に内蔵された図示していない所定の情報記憶手段に保存される。このとき、図２に示すように、コンテンツファイル７のファイルヘッダ（コンテンツファイル７のコンテンツデータ以外の部分）には各種情報を格納してある。また、後述する方法でコンテンツ解析部３２によって、コンテンツデータを解析し、端末１における表示体駆動に最適な電源能力（すなわち負荷情報）をそのヘッダに格納する。なお、管理装置３は、通信手段３３を用いて端末１の通信手段１４と接続することで、端末１に保存されたデータの移動、削除、ファイル名変更などを行うことができる機能を有している。
【００２４】
端末１の通信手段１４と、管理装置３の通信手段３３とは、有線または無線の通信回線５を介して接続可能であり、この通信回線５を介して管理装置３から端末１へ表示情報等を含むコンテンツファイル７が転送される。すなわち、通信手段１４は、管理装置３から、画像変換部３１によって変換されたコンテンツと、コンテンツ解析部３２の解析結果であるその負荷を示す情報とを取得する。図２にコンテンツファイル７のファイル構成の一例を示した。図２に示す例では、コンテンツファイル７が、暗号化キー、ファイル管理情報、コンテンツデータの各情報から構成されている。暗号化キーは、所定の暗号アルゴリズムに基づいて暗号化されているファイル管理情報とコンテンツデータを、端末１において復号化するための情報である。ファイル管理情報には、コンテンツデータに係る、ファイル名、作者、作成／更新日時、ファイルフォーマット、サイズ、負荷情報等が含まれている。ここで、負荷情報が本発明が特徴とする構成であり、詳細は後述する。コンテンツデータは、表示内容を表す情報である。
【００２５】
図１に示す記憶性表示体１１は、電気泳動表示素子、コレステリック液晶等の記憶性を有する表示素子を用いて構成された複数の画素を有する表示体である。記憶性表示体１１は、例えば図３に示すような電気的構成を有している。図３に示す例では、記憶性表示体１１が、並列に設けられた複数の走査線１１１と、複数の走査線１１１に対して交差方向に並列して設けられた複数のデータ線１１２とを有して構成されている。そして、記憶性表示体１１には、走査線１１１とデータ線１１２との交点に対応して設けられた画素１１３と、画素１１３に対応して設けられた第１の電極１１４と、複数の画素１１３に対して共通に設けられた第２の電極１１５と、第１の電極１１４と一のデータ線１１２との間にそれぞれ設けられ、一の走査線１１１に対応するトランジスタ１１６とが設けられている。トランジスタ１１６は、薄膜トランジスタであり、走査線１１１にゲートが接続されるとともに、信号線１１２と第１の電極１１４にドレインとソースが接続されている。第２の電極１１５は、コモン電極と呼ばれる電極である。この第１の電極１１４と第２の電極１１５間に、電気泳動素子等の表示素子が配置されている。
【００２６】
図１の走査線ドライバ１２は、図３の複数の走査線１１１を順次駆動する回路である。走査線ドライバ１２は、第１表示体電源１９の出力を電源とし、表示体コントローラ１８から送られてくる制御信号に従って複数の走査線１１１のうちの一を選択して所定の電圧を印加する。データ線ドライバ１３は、図３の複数のデータ線１１２を、第２表示体電源２０の出力を電源として一括して駆動する回路である。具体的には、データ線ドライバ１３は、表示される画像に応じて、一のデータ線１１２に複数のデータ信号を順次供給する。
【００２７】
第１表示体電源１９は、走査線ドライバ１２に対して所定の電圧の電源を供給する回路であり、表示体コントローラ１８によって出力状態が制御される。
【００２８】
第２表示体電源２０は、データ線ドライバ１３に対してデータ線１１２の駆動に必要な電流を供給する回路であって、表示体コントローラ１８からの制御信号に基づいてその電流の供給能力が切り替え可能となっている。すなわち、記憶性表示体１１を駆動するための第２表示体電源２０の電流供給能力が、負荷情報に応じて表示体コントローラ１８によって切り替えられることになる。また、第２表示体電源２０は、データ線ドライバ１３に対して所定の正の電圧と、負の電圧とを供給する電源である。図４に、第２表示体電源２０の構成例を示した。図４は、第２表示体電源２０において、正の電圧を発生する部分の構成を示している。したがって、第２表示体電源２０には、さらに負の電圧を発生する部分の構成が設けられている。本明細書では、所定の基準電圧よりも高い電圧を正の電圧とし、基準電圧よりも低い電圧を負の電圧とする。基準電圧は０（ゼロ）ボルトとは限らない。
【００２９】
図４に示す、第２表示体電源２０の正の電圧の発生部分は、印加電圧生成ブロック２０１と、４個の演算増幅器（あるいはオペアンプ）ＡＭＰ１〜ＡＭＰ４と、スイッチＳＷ２ａ、ＳＷ３ａ、ＳＷ４ａ、ＳＷ２ｂ、ＳＷ３ｂおよびＳＷ４ｂから構成されている。印加電圧生成ブロック２０１は、データ線ドライバ１３に対して印加される正の電圧の基準値を生成する回路である。印加電圧生成ブロック２０１の出力は、演算増幅器ＡＭＰ１〜ＡＭＰ４の非反転入力端子に入力されている。演算増幅器ＡＭＰ１〜ＡＭＰ４は、出力端子と反転入力端子とを接続した、ボルテージフォロワとして構成されていて、正及び負の電圧Ｖ＋及びＶ−を電源として、出力端子の電圧が、非反転入力端子に入力された電圧値と同一となるように制御される。
【００３０】
演算増幅器ＡＭＰ１の出力端子がデータ線ドライバ１３に接続されている。演算増幅器ＡＭＰ２は、電源Ｖ＋にスイッチＳＷ２ａを介して接続されるとともに、その出力端子がスイッチＳＷ２ｂを介して演算増幅器ＡＭＰ１の出力端子に接続されている。演算増幅器ＡＭＰ３は、電源Ｖ＋にスイッチＳＷ３ａを介して接続されるとともに、その出力端子がスイッチＳＷ３ｂを介して演算増幅器ＡＭＰ１の出力端子に接続されている。演算増幅器ＡＭＰ４は、電源Ｖ＋にスイッチＳＷ４ａを介して接続されるとともに、その出力端子がスイッチＳＷ４ｂを介して演算増幅器ＡＭＰ１の出力端子に接続されている。
【００３１】
演算増幅器ＡＭＰ１〜ＡＭＰ４は、動作状態では、出力端子からの出力電流がほぼ零であっても、電源Ｖ＋から電源Ｖ−へ内部素子を通ってある程度の動作電流Ｉｑが流れるようになっている。演算増幅器ＡＭＰ１については、電源Ｖ＋及び電源Ｖ−に接続されているので、動作電流Ｉｑが常に消費されることになる。一方、演算増幅器ＡＭＰ２〜４については、スイッチＳＷ２ａ〜ＳＷ４ａをオフすることで、動作電流Ｉｑを零（あるいはほぼ零）とすることができるようになっている。
【００３２】
なお、スイッチＳＷ２ａとスイッチＳＷ２ｂは、表示体コントローラ１８からの制御信号に基づいて、連動して動作するスイッチであり、同時にオン又はオフするよう動作する。同様に、スイッチＳＷ３ａとスイッチＳＷ３ｂは、表示体コントローラ１８からの制御信号に基づいて、連動して動作するスイッチであり、同時にオン又はオフするよう動作する。同様に、スイッチＳＷ４ａとスイッチＳＷ４ｂは、表示体コントローラ１８からの制御信号に基づいて、連動して動作するスイッチであり、同時にオン又はオフするよう動作する。
【００３３】
また、演算増幅器ＡＭＰ１〜ＡＭＰ４は、電流出力能力（すなわち出力段のトランジスタの駆動能力）が互いに異なるように内部回路が構成されていて、この場合、各演算増幅器の出力能力は、ＡＭＰ１：ＡＭＰ２：ＡＭＰ３：ＡＭＰ４＝１：１：２：４となるように設定されている。
【００３４】
上述したように、表示体コントローラ１８は、記憶性表示体１１の駆動に必要な信号とタイミングを生成する。その際、表示体コントローラ１８は、コンテンツファイル７内のファイルヘッダに格納されている電源能力情報（すなわち負荷情報）を参照し、上記タイミングに合わせて第２表示体電源２０の電源能力を切り換えながら駆動する。図４に示すすべてのスイッチがオンの場合は、すべての演算増幅器ＡＭＰ１〜ＡＭＰ４が接続されるので、最大の電源能力（８＝１＋１＋２＋４）で動作する。最大の電源能力は、記憶性表示体１１のワースト条件の負荷を駆動できるように設計する。他方、すべてのスイッチがオフの場合は、最小の電源能力（１）で動作し、消費電力が抑えられる。図５に示すテーブルが、負荷情報と、スイッチＳＷ４ａ及びＳＷ４ｂ（図５ではＳＷ４と表記）、ＳＷ３ａ及びＳＷ３ｂ（図５ではＳＷ３と表記）、ＳＷ２ａ及びＳＷ２ｂ（図５ではＳＷ２と表記）の接続状態と、動作状態となる演算増幅器ＡＭＰ１〜ＡＭＰ４の対応関係を示している。負荷情報「０」が電源能力を最も低下させた状態、負荷情報「７」が電源能力を最も上昇させた状態に制御するようにとの指示となる。スイッチＳＷ２ａ、ＳＷ３ａ、ＳＷ４ａ、ＳＷ２ｂ、ＳＷ３ｂおよびＳＷ４ｂをオンまたはオフさせることで電源能力を切替えることができる。
【００３５】
例えば、負荷情報が「０」の場合は、スイッチＳＷ４ａ及びＳＷ４ｂ、ＳＷ３ａ及びＳＷ３ｂ、ＳＷ２ａ及びＳＷ２ｂをすべてオフ（ＯＦＦ）とすることによって、演算増幅器ＡＭＰ１のみを動作させ、演算増幅器ＡＭＰ２〜ＡＭＰ４は動作させない。例えば、負荷情報が「１」の場合は、スイッチＳＷ４ａ及びＳＷ４ｂ、ＳＷ３ａ及びＳＷ３ｂをオフとして、ＳＷ２ａ及びＳＷ２ｂをオン（ＯＮ）とすることによって、演算増幅器ＡＭＰ１と演算増幅器ＡＭＰ２を動作させ、演算増幅器ＡＭＰ３及びＡＭＰ４は動作させない。以下、同様に、負荷情報が大きくなるのに合わせて動作させる演算増幅器を選択することによって、第２表示体電源２０の電流供給能力を大きくしている。
【００３６】
また、図１のメインＣＰＵ１５は、ＲＯＭ１６に格納されているプログラムを実行することで各部を制御する。メインＣＰＵ１５は、コンテンツファイル７に含まれているコンテンツデータに基づいてＶＲＡＭ１７に画像データを展開し、ＶＲＡＭ１７に記憶した画像データに基づいて表示体コントローラ１８を制御して、記憶性表示体１１に画像データを表示する。
【００３７】
また、表示体コントローラ１８は、メインＣＰＵ１５から送られてきた画像データに基づいて第１表示体電源１９、第２表示体電源２０及び走査線ドライバ１２を制御する。本実施形態では、特に、表示体コントローラ１８は、コンテンツファイル７内のファイル管理情報に含まれる負荷情報に応じて第２表示体電源２０の電流供給能力を切り替え、切り替えを行った後、複数の画素１１３によって表示されている画像を書き換える制御を行うようになっている。
【００３８】
なお、本実施形態において画像を表示するための（あるいは書き換えるための）負荷とは、データ線１１２の電位を切り替える際に必要となる電荷の充放電に対応するものである。本実施形態では、画像表示を行う際、図３の複数の走査線１１１を上下方向で順に１本ずつ時分割で駆動し、走査線１１１の選択タイミングに応じて複数のデータ線１１２各々を所定の電圧レベルに一括して駆動することで、各画素１１３の第１の電極１１４の電位を設定する。その際、データ線１１２の電位を切り替えるには、走査線１１１によって選択された画素１１３の第１の電極１１４と第２の電極１１５間の容量だけでなく、データ線１１２の寄生容量に対する電荷の充放電が必要となる。ただし、データ線１１２の寄生容量に対する電荷の充放電は、走査線１１１の各走査（すなわち異なる走査線１１１の各選択動作）において、表示する画像データを切り替える場合すなわちデータ線１１２の電位レベル（データ信号）を切り替える場合に比較的大きく発生する。すなわち、たとえば図３において、走査線１１１ａの次に走査線１１１ｂが選択されるとしたとき、走査線１１１ａが選択されたときのデータ線１１２ａの電位レベルＶｄａと走査線１１１ｂが選択されたときのデータ線１１２ａの電位レベルＶｄｂとが互いに異なる場合に、比較的大きな充電又は放電電流が発生し、電位レベルＶｄａと電位レベルＶｄｂとが等しい場合には、充放電電流はほとんど発生しないことになる。そのため、本実施形態の表示体コントローラ１８は、コンテンツファイル７内のファイル管理情報に含まれる負荷情報に基づいて、データ線１１２の寄生容量に対する充放電電流が比較的大きく発生する場合に第２表示体電源２０の電流供給能力を大きくし、充放電電流が比較的小さくなる場合に第２表示体電源２０の電流供給能力を小さくするような制御を行う。
【００３９】
上述したように、表示体コントローラ１８は、メインＣＰＵ１５からの制御信号に基づいて、記憶性表示体１１の駆動に必要な信号やタイミングの生成、画像の変換等を行う。また、表示体コントローラ１８は、負荷情報を用いて第２表示体電源２０の電源能力を切替える信号を生成する。
【００４０】
走査線ドライバ１２は、表示体コントローラ１８で生成された信号・タイミングによって走査線駆動を行う。データ線ドライバ１３は、表示体コントローラ１８で生成された信号・タイミングによってデータ線駆動を行う。また、上述したように、第２表示体電源２０は、印加電圧生成ブロック２０１と、最終段アンプ群（演算増幅器ＡＭＰ１〜ＡＭＰ４）とを、正側と負側の１組分備えて構成されている。印加電圧生成ブロック２０１は、記憶性表示体１１の駆動に適した複数の電圧を生成し、それぞれ最終段アンプ群に入力する。
【００４１】
次に、図６〜図１０を参照して、管理装置３内のコンテンツ解析部３２による負荷の解析と、端末１内の表示体コントローラ１８による解析結果に基づく第２表示体電源２０の制御の方法について説明する。以下では、コンテンツ解析・電源能力切替をページ単位で行う方法（＜実施例１＞とする）と、コンテンツ解析・電源能力切替を走査線単位で行う方法（＜実施例２＞とする）について説明する。
【００４２】
＜実施例１＞コンテンツ解析・電源能力切替をページ単位で行う方法：
この方法では、以下に示す３つの工程を含むコンテンツ解析によって負荷情報が生成される。実施例１では、記憶性表示体１１の仕様は、図６に示すように、走査線４０９６本×データ線３０７２本、また、各画素の表示状態は白または黒として説明する。また、データ線に供給すべき電位レベル（データ信号）については、便宜的に、白を表示するときの電位レベルを「１」とし、黒を表示するときの電位レベルを「０」とする。図６では、各画素に供給されるデータ信号を「０」と「１」を用いて示してある。データ線に供給すべき電位レベルが「０」から「１」に変化する場合に、第２表示体電源２０の正側の最終段アンプ群からデータ線１１２に対して電流（例えば充電電流）が供給され、データ線に供給すべき電位レベルが「０」から「１」に変化する場合は、第２表示体電源２０の負側の最終段アンプ群からデータ線１１２に対して電流（例えば放電電流）が供給されることとする。
【００４３】
工程（１）：変化数を０に初期化する。
工程（２）：あるデータ線に供給されるデータ信号に着目し、そのデータ線に供給されるデータ信号が、「１」から「０」へ、または「０」から「１」へ変化する毎に、変化数に１を加える。
データ線に供給されるデータ信号の変化を調べるということは、そのデータ線に対応する第１の画素の表示状態と第２の画素の表示状態とを互いに比較することに対応している。すなわち、第１の画素において表示されるべき表示状態が黒であり、第１の画素の次に選択される第２の画素において表示されるべき表示状態が白であれば、そのデータ線に供給されるデータ信号は「０」から「１」へ変化するため、データ線に供給されるデータ信号を調べることによって、各画素の表示状態を調べることができる。
以下に例を示す。
【００４４】
（ｉ）あるデータ線に対応する各画素に供給されるデータ信号が上から順に「００００００００００・・・００」の並びの場合は、全て黒の画像データであり、変化数は「０」である。この画像データは、図６に示した１番目のデータ線１１２ａに供給されるデータ信号に対応する。なお、図６において、２つの丸印「・・」は、丸印「・・」の上２つのデータ信号の状態が繰り返されること（データ線１１２ａでは「００」が繰り返されること）を表している（以下、同様）。
（ｉｉ）あるデータ線に対応する各画素に供給されるデータ信号が上から順に「１１１１１１１１１１・・・１１」の並びの場合は、全て白の画像データであり、変化数は「０」である。この画像データは、図６に示した９７番目のデータ線１１２ｂに供給されるデータ信号に対応する。
（ｉｉｉ）あるデータ線に対応する各画素に供給されるデータ信号が上から順に「０１００１１１１・・・１１０１」の並びの場合は、変化数は「５」である。この画像データは、図６に示した１９３番目のデータ線１１２ｃに供給されるデータ信号に対応する。
（ｉｖ）あるデータ線に対応する各画素に供給されるデータ信号が上から順に「０１００００・・・・００００００」の並びの場合は、変化数は「２」である。この画像データは、図６に示した２８９番目のデータ線１１２ｄに供給されるデータ信号に対応する。
（ｖ）あるデータ線に対応する各画素に供給されるデータ信号が上から順に「０１０１０１０１０１・・・０１」の並びの場合は、黒と白が交互に繰返される画像データであり、変化数は最大の「走査線数−１」となる。この画像データは、図６に示した２９７７番目のデータ線１１２ｅに供給されるデータ信号に対応する。
【００４５】
コンテンツ解析部３２では、前記工程（２）で得られた、あるデータ線に対する変化数を図７のテーブルに当てはめ、あるデータ線に対する重みづけ値を取得する。例えば、前述の全て黒、あるいは全て白の画像データが供給されるデータ線に対する重みづけ値は「０」、変化数最大の画像データが供給されるデータ線に対する重みづけの値は「７」となる。ここで、図７は、変化数と重み付け値との対応関係を示すテーブルである。
【００４６】
工程（３）：工程（１）および工程（２）の解析を、たとえば３０７２本のデータ線のうち３２本のデータ線に対して行なう。データ線は全部で３０７２本あるので、データ線を９６本ごとに選べばよい。これによって、３０７２／９６＝３２個の重み付け値が得られる。３２個の重み付け値を加算すると、２２４を最大とする値が得られる。加算された重み付け値を図８のテーブルに当てはめ、ページ全体の負荷情報を取得する。ここで、図８は、重み付け値の加算値と負荷情報との対応関係を示すテーブルである。図８の負荷情報は図５の負荷情報に対応している。
【００４７】
例えば全面黒、または全面白の画像の負荷情報は「０」であり、変化数最大の画像の負荷情報は「７」となる。ページ単位の解析では、このようにして、コンテンツ解析部３２によって１ページに対して１つの負荷情報が得られる。言い換えれば、記憶性表示体１１の全画素によって表示されるひとつの画像の負荷情報が得られる。この負荷情報が、図２に示すコンテンツファイル７のファイルヘッダに格納される。
【００４８】
端末１では、記憶性表示体１１の駆動の際、コンテンツファイル７のファイルヘッダを参照し、図５に示すテーブルに基づき、負荷情報０〜７に対応するスイッチＳＷ２ａ、ＳＷ３ａ、ＳＷ４ａ、ＳＷ２ｂ、ＳＷ３ｂおよびＳＷ４ｂをＯＮ／ＯＦＦし、第２表示体電源２０の電源能力を適切な値に切り換えてから、記憶性表示体１１に表示されている画像を書き換える。
実施例１によれば、ページ単位で画像の付加情報に応じて、第２表示体電源２０の電流供給能力が制御されるため、電源回路自体の消費電流を低減することができ、記憶性表示体１１の第２表示体電源２０の低消費電力化を図ることができる。また、上記実施形態によれば、コンテンツ解析が管理装置３側で行われるので、端末１側で負荷の大きな処理を行う必要がない。
なお、ページ単位で第２表示体電源２０の電流供給能力を制御する、ということは、言い換えれば、記憶性表示体１１に表示されるべき画像毎に電流供給能力を制御するということである。１回の垂直走査によって画像を書き換えることができるならば、１回の垂直走査毎に電流供給能力を制御する。また、画像を書き換えるために垂直走査が２回必要であれば、その２回の垂直走査毎に電流供給能力を制御する。
【００４９】
＜実施例２＞コンテンツ解析・電源能力切替を走査線単位で行う方法：
記憶性表示体１１は走査線４０９６本×データ線３０７２本、また、各画素の表示状態は白または黒として説明する（図９参照）。
【００５０】
工程（１）：変化数を０に初期化する。
工程（２）：４０９６本の走査線の中から第１の走査線を選ぶ。そして、第１の走査線と一のデータ線とに対応する第１の画素に供給されるデータ信号（第１の画素の表示状態）を、第１の走査線の次に選択される第２の走査線と該一のデータ線とに対応する第２の画素に供給されるデータ信号（第２の画素の表示状態）と比較する。第１の画素に供給されるデータ信号と第２の画素に供給されるデータ信号とが互いに異なる場合、変化数に１を加える。この解析を総てのデータ線に対して行なう。こうして得られた変化数を図１０のテーブルに当てはめ、第２の走査線に対する負荷情報を取得し、ファイルヘッダに格納する。ここで、図１０は、変化数と負荷情報の対応関係を示すテーブルである。
【００５１】
例えば図９の一番上の行が第１の走査線１１１ａに対応し、上から２番目の行が第２の走査線１１１ｂに対応するとする。第１の走査線１１１ａに対応する３０７２個の画素に供給されるデータ信号は「１１１１１１１１・・・１１（すべて１）」、第２の走査線１１１ｂに対応する３０７２個の画素に供給されるデータ信号は「００００００００・・・００（すべて０）」なので、変化数は３０７２である。この変化数を図１０のテーブルに当てはめると、第２の走査線に対する負荷情報として「７」が得られるため、負荷情報「７」がファイルヘッダに格納される。
【００５２】
工程（３）：工程（１）および工程（２）の解析を、他の走査線に対しても行い、図１０のテーブルを参照して、各走査線に対する付加情報を取得し、ファイルヘッダに格納する。このようにして、互いに連続して走査される２本の走査線対に対して１つの負荷情報が得られるので、１ページに対して４０９６−１＝４０９５個の負荷情報が得られる。これらの負荷情報は、各走査線に対応づけてファイルヘッダに格納される。
【００５３】
端末１において記憶性表示体１１に画像データを表示する際は、ｎ番目の走査線に対応する画素に画像を書き込む前に、ファイルヘッダに格納されたｎ番目の走査線に対する負荷情報および図５のテーブルを参照し、スイッチＳＷ２ａ、ＳＷ３ａ、ＳＷ４ａ、ＳＷ２ｂ、ＳＷ３ｂおよびＳＷ４ｂをＯＮ／ＯＦＦし、第２表示体電源２０の電源能力を適切な値に切り換えておく。
【００５４】
実施例２によれば、表示装置における走査線毎に負荷が求められるので、詳細な負荷の解析が行なわれる。その結果、次に選択される走査線に対応する画素で表示されるべき表示状態に応じてデータ線に供給するデータ信号を切り替える前に、当該走査線に対する負荷情報および図５のテーブルを参照して、電源回路（第２表示体電源２０）の電流供給能力を切り替えることができるので、実施例１の場合よりも効果的に、電源回路自体の消費電流を低減することができ、記憶性表示体１１の第２表示体電源２０の低消費電力化を図ることができる。また、上記実施形態によれば、コンテンツ解析が管理装置３側で行われるので、端末１側で負荷の大きな処理を行う必要がない。
【００５５】
なお、上記の実施例１と実施例２とでは、第２表示体電源２０の出力回路として演算増幅器ＡＭＰ１〜ＡＭＰ４のボルテージフォロワ構成を用いて説明したが、出力回路はこれに限らない。記憶性表示体１１は走査線４０９６本×データ線３０７２本、また、各画素の表示状態は白または黒として説明したが、これに限らない。例えば各画素において多階調表示を行い、階調値の変化に応じて負荷情報を作成することによって第２表示体電源２０の電流供給能力を制御する構成を採用することが可能である。
【００５６】
また、実施例１では、あるデータ線に供給されるデータ信号が、「１」から「０」へ、または「０」から「１」へ変化する毎に変化数をカウントしていたが、解析方法はこれに限らない。例えば空間周波数を演算して負荷情報の判定に用いてもよい。また、工程（３）としてデータ線９６本ごとに計３２回解析を行う例を示したが、データ線の解析頻度はこれに限らない。
【００５７】
実施例２では工程（３）として４０９５本の走査線に対して解析を行う例を示したが、解析頻度はこれに限らない。
【００５８】
なお、上記実施形態では、表示媒体として、記憶性表示体１１を用いることとしているが、記憶性を有しない、液晶等を用いた表示体に対しても電源回路の電流供給能力の切り替え制御を行うことが可能である。また、データ線ドライバ１３では、記憶性表示体１１のデータ線１１２すべてを一括して駆動する構成に限らず、複数のデータ線１１２を２以上の複数部分毎に分割して時分割で駆動する構成を採用することもできる。
【００５９】
また、第２表示体電源２０の正側電源と負側電源の構成は同一であっても、互いに異なるものであってもよい。また、電流供給能力の切り替え段数を正側と負側で異ならせるようにしても良い。
【００６０】
次に、上記実施形態の端末１を電子機器として構成した場合について説明する。図１１は、腕時計１０００の正面図である。腕時計１０００は、時計ケース１００２と、時計ケース１００２に連結された一対のバンド１００３とを備えている。時計ケース１００２の正面には、上記各実施形態の記憶性表示体１１からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００６１】
図１２は電子ペーパー１１００の構成を示す斜視図である。電子ペーパー１１００は、上記実施形態の記憶性表示体１１を表示領域１１０１に備えている。電子ペーパー１１００は可撓性を有し、従来の紙と同様の質感および柔軟性を有する書き換え可能なシートからなる本体１１０２を備えて構成されている。
【００６２】
図１３は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００６３】
以上の腕時計１０００、電子ペーパー１１００、および電子ノート１２００によれば、本発明に係る記憶性表示体１１が採用されているので、低消費電力化を図った電子機器となる。
【００６４】
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気光学装置１は好適に用いることができる。
【００６５】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【符号の説明】
【００６６】
１…端末（第２の情報処理装置）、３…管理装置（第１の情報処理装置）、５…通信回線、７…コンテンツファイル、１１…記憶性表示体（表示装置）、１２…走査線ドライバ（走査線駆動回路）、１３…  データ線ドライバ（データ線駆動回路）、１４…通信手段（取得部）、１５…メインＣＰＵ、１６…ＲＯＭ、１７…ＶＲＡＭ、１８…表示体コントローラ（制御部）、１９…第１表示体電源、２０…第２表示体電源（電源回路）、３１…画像変換部（変換部）、３２…コンテンツ解析部（解析部）、３３…通信手段（転送部）、１１１…走査線、１１２…データ線、１１３…画素、１１４…第１の電極、１１５…第２の電極、１１６…トランジスタ（駆動トランジスタ）、ＡＭＰ１〜ＡＭＰ４…演算増幅器、２０１…印加電圧生成ブロック、ＳＷ２ａ〜ＳＷ４ａ、ＳＷ２ｂ〜ＳＷ４ｂ…スイッチ
【図１】
2011221096.tif 000003
【図２】
2011221096.tif 000004
【図３】
2011221096.tif 000005
【図４】
2011221096.tif 000006
【図５】
2011221096.tif 000007
【図６】
2011221096.tif 000008
【図７】
2011221096.tif 000009
【図８】
2011221096.tif 000010
【図９】
2011221096.tif 000011
【図１０】
2011221096.tif 000012
【図１１】
2011221096.tif 000013
【図１２】
2011221096.tif 000014
【図１３】
2011221096.tif 000015